(57)【特許請求の範囲】
【請求項１】
横架材と、この横架材の下方で交差する方向に延びて上部に吊掛部を有する器具取付バーと、前記横架材に上下移動自在に係合する係合部を上部に有しこの上部に前記横架材の上面に対向するねじ孔を有しさらに前記吊掛部に係止する係止部を下部に有するバー取付具と、前記ねじ孔に螺合されて先端が前記横架材の上面に当接する高さ調整ねじと、前記器具取付バーの上面と前記横架材の下面との間に介在される位置とこの位置から退避した位置との間を移動可能に前記バー取付具に取付けられた可動スペーサとを備えた器具取付装置。
【請求項２】
横架材と、吊掛部を上部に有して前記横架材の下方で交差する方向に延びた所定高さの器具取付バーと、前記横架材に上下移動自在に係合する係合部を上部に有しこの上部に前記横架材の上面に対向するねじ孔を有しさらに前記吊掛部に係止する係止部を下部に有するバー取付具と、前記ねじ孔に螺合されて先端が前記横架材の上面に当接する高さ調整ねじとを備え、
前記器具取付バーは、前記吊掛部の下部の高さが浅型照明器具に対応する寸法を有し前記吊掛部の上部の高さが深型照明器具に対応する寸法を有し、前記係止部は前記吊掛部の下端に係止する器具取付装置。
【発明の詳細な説明】
【０００１】
【発明の属する技術分野】
この発明は、システム天井における、例えばバー材による照明器具の支持等の器具取付装置に関するものである。
【０００２】
【従来の技術】
通常のシステム天井では、照明器具を支持するＴバー等のバーを吊持するＣチャンネルを、照明器具間の設備プレート部を通す位置に設計する。そのため、Ｃチャンネルを吊るインサートの位置をその都度設計する必要があり、インサートの位置が限定される。
【０００３】
これに対して、在来天井のように明確にインサートの位置が限定されない仕様に対応するには、チャンネルをカットして対応するほか、つぎのような手段があった。
すなわち、図１２に示す第１の従来例は照明器具１００の高さを低くして、チャンネル１０１を回避している。１０２はＴバー、１０３はハンガ、１０４は天井材である。
【０００４】
図１３に示す第２の従来例は、既存のＣＴハンガ１０５を使用して、チャンネル１０１から天井面までの高さを確保して、遮光角度１５度以上の深型照明器具１００′を設置している。
【０００５】
【発明が解決しようとする課題】
図１２の第１の従来例は、照明器具１００が低く、遮光角が０度であり、またルーバ等のオプションが下面に突出する。
図１３の第２の従来例は、チャンネル１０１とＣＴハンガ１０５の締結と、Ｔバー１０２とＣＴハンガ１０５の締結とが必要で、２箇所あるため施工性が悪い。またこれらの締結が不十分であれば、Ｔバー１０２の傾きが生じやすい。
【０００６】
そこで、システム天井において、深型の照明器具１００′を設置するときにインサート位置が限定されないようにチャンネルを回避でき、しかも従来使用されていた金具の施工性の悪さを改善することが要請される。
したがって、この発明の目的は、チャンネルを回避でき、深型の照明器具を設置でき、しかも施工性がよい照明器具取付装置を提供することである。
【０００７】
【課題を解決するための手段】
請求項１記載の器具取付装置は、横架材と、この横架材の下方で交差する方向に延びて上部に吊掛部を有する器具取付バーと、前記横架材に上下移動自在に係合する係合部を上部に有しこの上部に前記横架材の上面に対向するねじ孔を有しさらに前記吊掛部に係止する係止部を下部に有するバー取付具と、前記ねじ孔に螺合されて先端が前記横架材の上面に当接する高さ調整ねじと、前記器具取付バーの上面と前記横架材の下面との間に介在される位置とこの位置から退避した位置との間を移動可能に前記バー取付具に取付けられた可動スペーサとを備えたものである。
【０００８】
請求項１記載の器具取付装置によれば、器具取付バーは高さ調整ねじにより可動スペーサを介して横架材に締付け固定される。このため、システム天井工法において横架材の位置が限定されないように横架材を回避して例えば深型の照明器具を設置することができ、インサート設計すなわち横架材の吊り材の位置の設計が不要となり設計の合理化が図れ、また天井のリニューアル工事においても既存のインサートがそのまま使用でき、大幅な施工の合理化が図れ、器具取付バーも既存のものが適用できる。また高さ調整ねじによる１か所の締結により横架材と器具取付バーが固定できるので、施工容易になり施工性が改善される。
【０００９】
請求項２記載の器具取付装置は、横架材と、吊掛部を上部に有して前記横架材の下方で交差する方向に延びた所定高さの器具取付バーと、前記横架材に上下移動自在に係合する係合部を上部に有しこの上部に前記横架材の上面に対向するねじ孔を有しさらに前記吊掛部に係止する係止部を下部に有するバー取付具と、前記ねじ孔に螺合されて先端が前記横架材の上面に当接する高さ調整ねじとを備え、
前記器具取付バーは、前記吊掛部の下部の高さが浅型照明器具に対応する寸法を有し前記吊掛部の上部の高さが深型照明器具に対応する寸法を有し、前記係止部は前記吊掛部の下端に係止するものである。
【００１０】
請求項２記載の器具取付装置によれば、器具取付バーは高さ調整ねじにより横架材に締付け固定されるが、器具取付バーを所定の高さに設定したため、システム天井工法において横架材の位置が限定されることなく例えば深型の照明器具が設置でき、インサート設計すなわち横架材の吊り材の位置の設計が不要となり設計の合理化が図れ、また天井のリニューアル工事においても既存のインサートがそのまま使用でき、大幅な施工の合理化が図れる。また高さ調整ねじによる１か所の締結により横架材に器具取付バーを固定できるので、施工容易になり施工性が改善される。
【００１１】
【発明の実施の形態】
この発明の第１の実施の形態を図１から図７により説明する。すなわち、この照明器具取付装置は、横架材１と、照明器具取付バー２と、バー取付具３と、高さ調整ねじ４と、可動スペーサ５とを有する。
横架材１は、水平架設されるもので、照明器具取付バー２に交差するように設置されるが位置は限定されない。実施の形態では例えばチャンネルとくにＣチャンネルを用いている。
【００１２】
照明器具取付バー２は、横架材１の下方で交差する方向に延びて上部に吊掛部２ａを有する。実施の形態では、横架材１の下方で横架材１に直交する方向に延び、かつ横架材１と照明器具取付バー２との間の距離が深型の照明器具６を配置するのに十分な寸法に設定されている。照明器具取付バー２は天井材１６の支持を兼ねた既存のＴバーであり、Ｔバーの上端に設けた吊掛部２ａは図４に詳細に示すように、下面の受け部１７と上面の当接部１８からなる。照明器具６は遮光角度１５度以上の深型の照明器具であり、その両側下端が照明器具取付バー２の下端の載置部２ｂに載置されている。７は照明器具６の蛍光ランプである。
【００１３】
バー取付具３は、横架材１に上下移動自在に係合する係合部１９を上部に有し、上部に横架材１の上面に対向するねじ孔２０を有し、さらに吊掛部２ａに係止する係止部２１を下部に有する。実施の形態では図３および図４に示すように金属体を逆Ｕ字形に折曲し、その両側片１１に横架材挿通溝１０を切欠いている。係止部２１は、照明器具取付バー２の吊掛部２ａをまたぐ側片１１と、側片１１の下端部に内向きに折曲した係止片８からなり、係止片８が受け部１７に係止して照明器具取付バー２を吊持する。係合部１９は横架材１に挿通して係合する横架材挿通溝１０の底部分（上端部）により構成され、高さ調整ねじ４を挿通しない状態では横架材挿通溝１０の底部が横架材１に掛る。ねじ孔２０は中間片２６に形成したカウンタシンク２２に形成している。また両側片１１には横架材挿通溝１０の中間高さ位置に縦長の長孔１３を形成している。
【００１４】
高さ調整ねじ４は、ねじ孔２０に螺合されて先端４ａが横架材１の上面１ａに当接する。したがって、高さ調整ねじ４のねじ込み量に応じてバー取付具３が上下動作する。
可動スペーサ１５は、照明器具取付バー２の上面と横架材１の下面との間に介在される位置とこの位置から退避した位置との間を移動可能にバー取付具３に取付けられている。実施の形態では、略Ｕ字形に形成され、バー取付具３の両側片１１の間に挿入される。可動スペーサ１５の上端角部より外方に突片２４を折曲し、この突片２４をバー取付具３の長孔１３に上下方向に長孔１３の寸法分移動可能に挿通し、高さ調整ねじ４によるバー取付具３の上下移動を可能にするとともに、可動スペーサ１５を回動自在に係合している。
【００１５】
この照明器具取付装置の施工について説明する。図２の想像線のように可動スペーサ１５を横架材１の下面１ｂと照明器具取付バー２の上面の当接部１８との間から退避するように回動して、バー取付具３の横架材挿通溝１０を横架材１の上部に通し、再び可動スペーサ１５を回動して可動スペーサ１５を横架材１の下面１ｂと照明器具取付バー２の当接部１８との間に介在し、さらに照明器具取付バー２の上部を跨いで係止片８を受け部１７に係止する。そして、高さ調整ねじ４をねじ孔２０にねじ込んでその先端４ａを横架材１の当接部１８に押し当てることにより照明器具取付バー２と横架材１との間に可動スペーサ１５を挟んで締付け密着度を高めて照明器具取付バー２を固定する。このとき可動スペーサ１５の突起２４は長孔１３内を移動する。
【００１６】
この実施の形態によれば、照明器具取付バー２は高さ調整ねじ４により可動スペーサ１５を介して横架材１に締付け固定される。このため、システム天井工法において横架材１の位置が限定されないように横架材１を回避して深型の照明器具６を設置することができ、インサート設計すなわち横架材１の吊り材の位置の設計が不要となり設計の合理化が図れ、また天井のリニューアル工事においても既存のインサートがそのまま使用でき、大幅な施工の合理化が図れ、照明器具取付バー２も既存のものが適用できる。また高さ調整ねじ４による１か所の締結により横架材１と照明器具取付バー２が固定できるので、施工容易になり施工性が改善される。
【００１７】
また照明器具取付バー２は従来の高さのものを使用することができ、照明器具取付バー２の連結金具等は既存のものをそのまま使用できる。
図８から図１０はバー取付具３の変形形態であり、可動スペーサ１５の突起２４の先端の長孔１３を貫通した部分に長孔１３の幅よりも広幅の抜止め片２４ａを設けている。
【００１８】
この発明の第２の実施の形態を図１１に示す。すなわち、この照明器具取付装置が第１の実施の形態と異なる点は、照明器具取付バー３の高さを所定の高さに高くして可動スペーサ１５を省略したことである。
すなわち、横架材１と、吊掛部２ａを有して横架材１の下方で交差する方向に延びた所定高さ（ａ＋ｂ）の照明器具取付バー３と、横架材１に上下移動自在に係合する係合部１９を上部に有しこの上部に横架材１の上面に対向するねじ孔２０を有しさらに吊掛部２ａに係止する係止部２１を下部に有するバー取付具３と、ねじ孔２０に螺合されて先端が横架材１の上面に当接する高さ調整ねじ４とを備えている。
【００１９】
実施の形態では吊掛部２ａの高さｂを第１の実施の形態や従来例よりも可動スペーサ１５の高さにほぼ相当する分長く形成し、照明器具取付バー２の吊掛部２ａよりも下の部分の高さａは従来の照明器具取付バー２とほぼ同じにしている。その他の構成は第１の実施の形態と同様である。
この実施の形態によれば、照明器具取付バー２は高さ調整ねじ４により横架材１に締付け固定されるが、照明器具取付バー２を所定の高さに設定したため、システム天井工法において横架材１の位置が限定されることなく深型の照明器具６が設置でき、インサート設計すなわち横架材１の吊り材の位置の設計が不要となり設計の合理化が図れ、また天井のリニューアル工事においても既存のインサートがそのまま使用でき、大幅な施工の合理化が図れる。また高さ調整ねじ４による１か所の締結により横架材１に照明器具取付バー２を固定できるので、施工容易になり施工性が改善される。
【００２０】
さらに、吊掛部２ａの高さｂを大きくすることにより照明器具取付バー３の傾き強度を強化でき、モーメント応力が増大することにより起こる照明器具取付バー３の傾きを支持点を低くすることにより防止できる。一方、吊掛部２ａ以外の部分の高さａは従来の照明器具取付バー３の高さと同じであるので、既存の連結金具を使用することができる。
【００２１】
【発明の効果】
請求項１記載の器具取付装置によれば、器具取付バーは高さ調整ねじにより可動スペーサを介して横架材に締付け固定される。このため、システム天井工法において横架材の位置が限定されないように横架材を回避して例えば深型の照明器具を設置することができ、インサート設計すなわち横架材の吊り材の位置の設計が不要となり設計の合理化が図れ、また天井のリニューアル工事においても既存のインサートがそのまま使用でき、大幅な施工の合理化が図れ、器具取付バーも既存のものが適用できる。また高さ調整ねじによる１か所の締結により横架材と器具取付バーが固定できるので、施工容易になり施工性が改善される。
【００２２】
請求項２記載の器具取付装置によれば、器具取付バーは高さ調整ねじにより横架材に締付け固定されるが、器具取付バーを所定の高さに設定したため、システム天井工法において横架材の位置が限定されることなく例えば深型の照明器具が設置でき、インサート設計すなわち横架材の吊り材の位置の設計が不要となり設計の合理化が図れ、また天井のリニューアル工事においても既存のインサートがそのまま使用でき、大幅な施工の合理化が図れる。また高さ調整ねじによる１か所の締結により横架材に器具取付バーを固定できるので、施工容易になり施工性が改善される。
【図面の簡単な説明】
【図１】この発明の第１の実施の形態の概略説明図である。
【図２】バー取付具および可動スペーサの概略正面図である。
【図３】施工状態の正面図である。
【図４】その側面図である。
【図５】バー取付具の正面図である。
【図６】バー取付具の側面図である。
【図７】バー取付具の断面図である。
【図８】変形形態の可動スペーサを内蔵したバー取付具の正面図である。
【図９】その側面図である。
【図１０】その断面図である。
【図１１】第２の実施の形態の概略説明図である。
【図１２】第１の従来例の説明図である。
【図１３】第２の従来例の説明図である。
【符号の説明】
１    横架材
２    照明器具取付バー
２ａ    吊掛部
３    バー取付具
４    高さ調整ねじ
５    可動スペーサ
８    引掛片
１９    係合部
２０    ねじ孔
２１    係止部
【図１】
0003718992.tif 000002
【図２】
0003718992.tif 000003
【図３】
0003718992.tif 000004
【図４】
0003718992.tif 000005
【図５】
0003718992.tif 000006
【図６】
0003718992.tif 000007
【図７】
0003718992.tif 000008
【図８】
0003718992.tif 000009
【図９】
0003718992.tif 000010
【図１０】
0003718992.tif 000011
【図１１】
0003718992.tif 000012
【図１２】
0003718992.tif 000013
【図１３】
0003718992.tif 000014